(57)【要約】【課題】  アンテナの軸比特性が広帯域で良好な小型の円偏波マイクロストリップアンテナを提供する。【解決手段】  本実施形態の円偏波マイクロストリップアンテナ１は、２点給電方式のパッチ導体３が形成されている誘電体基板２の表面上に、さらに９０°位相差線路７とウィルキンソン型分配器８を備えている。９０°位相差線路７とウィルキンソン型分配器８は、第１給電部４と第２給電部５に接続されて、パッチ導体３に給電する給電回路９を形成している。【選択図】      図１
2006311478.tif 000002
【特許請求の範囲】
【請求項１】
誘電材料を所定の厚さに形成した誘電体基板と、前記誘電体基板の一方の面に配置されたパッチ導体と、前記誘電体基板の他方の面に配置された接地導体と、前記パッチ導体の中心から見て第１の方向に配置され前記パッチ導体に給電する第１給電部と、前記パッチ導体の中心から見て前記第１の方向と直交する第２の方向に配置され前記パッチ導体に給電する第２給電部とを備え、前記第１給電部と前記第２給電部に略同一の振幅かつ略９０°の位相差で給電することにより円偏波の励振が可能な円偏波マイクロストリップアンテナであって、
前記パッチ導体と同一面上に、ウィルキンソン型分配器の一方の出力側に９０°位相差線路を接続して形成された給電回路を備え、
前記第１給電部および前記第２給電部を前記給電回路が有する２つの出力端と接続することにより高周波信号を前記パッチ導体に供給する
ことを特徴とする円偏波マイクロストリップアンテナ。
【請求項２】
前記給電回路は、
前記誘電体基板の中心から見て前記第１の方向の対称軸と、前記誘電体基板の中心から見て前記第２の方向の対称軸と、前記誘電体基板の端部とで囲まれる領域内に形成されている
ことを特徴とする請求項１に記載の円偏波マイクロストリップアンテナ。
【請求項３】
前記接地導体の面積は、
前記パッチ導体の面積の９倍か、それより小さい
ことを特徴とする請求項１または請求項２に記載の円偏波マイクロストリップアンテナ。
【請求項４】
前記誘電体基板の厚さは、０．４ｍｍ以上である
ことを特徴とする請求項１から請求項３のいずれか１項に記載の円偏波マイクロストリップアンテナ。
【請求項５】
前記９０°位相差線路及び前記ウィルキンソン型分配器は、
前記給電回路から出力される２つの高周波信号の各々の振幅成分及び両者の位相差を、それぞれＡ１，Ａ２、及びΔθとするとき、
Ａ１≠Ａ２  、Δθ≠９０°
となるよう構成されている
ことを特徴とする請求項１から請求項４のいずれか１項に記載の円偏波マイクロストリップアンテナ。
【請求項６】
前記第１給電部は、前記ウィルキンソン型分配器の出力端に接続され、前記第２給電部は、前記９０°位相差線路の出力端に接続されている
ことを特徴とする請求項１に記載の円偏波マイクロストリップアンテナ。
【請求項７】
前記第１給電部は、前記９０°位相差線路の出力端に接続され、前記第２給電部は前記ウィルキンソン型分配器の出力端に接続されている
ことを特徴とする請求項１に記載の円偏波マイクロストリップアンテナ。
【請求項８】
請求項１から請求項７のいずれか１項に記載の円偏波マイクロストリップアンテナを備え、
前記接地導体の開放側の面にさらに別の誘電体基板を積層し、
前記別の誘電体基板の開放側の面に送受信機を含む高周波回路部を配置し、
前記高周波回路部と前記ウィルキンソン型分配器の入力端とをスルーホールを介して接続する
ことを特徴とする円偏波マイクロストリップアンテナ装置。
【発明の詳細な説明】
【技術分野】
【０００１】
本発明は、自動車などの移動体に搭載し、円偏波の電波を利用して情報を送受信するアンテナ及び該アンテナに接続される高周波回路を備えたアンテナ装置に関する。
【背景技術】
【０００２】
近年、自動車のＩＴ化に伴い、カーナビゲーションを代表とする車載情報端末の普及は著しいものがある。特に、移動体である自動車に対して、非接触で情報をやりとりできる電波や光を用いた通信手段が、様々な形態で搭載されるようになってきている。
【０００３】
図５に、典型的な車載情報端末の構成を示す。アンテナとして、ＧＰＳアンテナ部４１、ＶＩＣＳアンテナ部４２、ＥＴＣ／ＤＳＲＣアンテナ部４３があり、情報端末本体４４側にそれぞれの受信機あるいは送受信機が設けられている。図５では、この他に光ビーコンからの光信号を受信するためのＶＩＣＳ光投受光部も設けられている。
【０００４】
図５に示すような構成では、ＧＰＳアンテナ部４１やＥＴＣ／ＤＳＲＣアンテナ部４３がそれぞれ個別の筐体に格納され、それぞれ専用の同軸ケーブル４６、４８を用いて情報端末本体４４側と接続される。
【０００５】
しかしながら、近年の自動車の軽量化や部品の小型化の要求、及び無線通信機器の多様化／高性能化の観点等から、同軸ケーブルを介して接続する方法に代わって、図４に示すように、アンテナ部と受信機又は送受信機の一部又は全部とを一体化し、これを一つの筐体に組み入れる形態が強く求められている。
【０００６】
図４では、アンテナ部３１が高周波回路部及び送受信機の一部または全部を搭載した回路基板３２に直接接続され、同一の筐体３３の内部に格納されている。
【０００７】
一方、車載情報端末に用いられるいくつかのシステム、例えばＧＰＳやＥＴＣ／ＤＳＲＣ等では、円偏波の信号を利用していることから、情報端末側のアンテナとして円偏波用のアンテナを用いる必要がある。
【０００８】
円偏波アンテナの方式には様々なものがあるが、一般に広く用いられるアンテナとして、誘電体基板上に形成されたマイクロストリップアンテナ（ＭＳＡ）がある。マイクロストリップアンテナの例を図６に示す。マイクロストリップアンテナを用いて円偏波アンテナを実現する方法には、図６（ａ）に示す１点給電方式と、図６（ｂ）に示す２点給電方式の２通りの方法が知られている。
【０００９】
図６（ａ）に示す１点給電方式を用いたマイクロストリップアンテナ５１では、放射パッチ５２に例えば縮退分離素子５３と呼ばれる非対称性を持たせるための構造を設けることで、円偏波を発生させるようにしている。該１点給電方式では、給電点５４が１点のみ設けられている。
【００１０】
これに対し図６（ｂ）に示す２点給電方式を用いたマイクロストリップアンテナ５６では、放射パッチ５７の中心から見てほぼ直交する２方向から、給電線と呼ばれる信号伝送線路５８、５９を通して給電することで、円偏波を発生させるようにしている。２つの給電線５８、５９に供給される高周波信号は、一般的には等振幅でかつ位相差９０°が与えられた２つの信号である。
【００１１】
２点給電方式のマイクロストリップアンテナに等振幅で位相差９０°の高周波信号を供給する給電回路には、図７に示すような方式がある。
【００１２】
図７（ａ）、（ｂ）、（ｃ）はそれぞれ、Ｔ型分岐＋９０°位相差線路、ブランチライン分配器、及びウィルキンソン（Ｗｉｌｋｉｎｓｏｎ）分配器＋９０°位相差線路と呼ばれる方式である。特に、図７（ｂ）又は図７（ｃ）に示す構成の給電回路を用いた場合には、軸比と呼ばれる円偏波の真円度を示す特性値が、広帯域にわたって優れたアンテナを実現できるという特徴がある。
【００１３】
図７に示す各給電回路では、１つの高周波信号を２つの線路に分岐して出力するようにしており、該２つの線路間に使用周波数の１／４波長に相当する電気長の差を設けることで、９０°位相差を実現している。すなわち、使用周波数の波長をλとすると、少なくともλ／４に相当する電気長を備えた線路が必要となり、相応な設置スペースが必要となる。
【００１４】
例えば、ＧＰＳ用アンテナ（使用周波数：１．５７５４２ＧＨｚ）の給電回路を図７（ｂ）に示すブランチライン分配器で実現しようとすると、厚さ０．８ｍｍのガラスエポキシ基板（ＦＲ−４等：比誘電率４．３）上に形成される電気長λ／４の線路は、パターン幅約１．５ｍｍ、パターン長およそ３０ｍｍの大きさとなる。この線路を４本リング状に形成して前記ブランチライン分配器を形成すると、高周波回路基板のかなりの面積を給電回路が占めることになり、送受信機の回路との共存ができなくなるという問題があった。
【００１５】
そこで、前記給電回路の設置スペースをできるだけ小さくするために、たとえば特許文献１に記載されているように、アンテナ素子のグランド電極を挟んでその裏面側に高周波回路基板を形成し、さらに該高周波回路基板の上に前記給電回路をパターンを用いて形成することが多い。
【特許文献１】特開２００４−５６２０４号
【発明の開示】
【発明が解決しようとする課題】
【００１６】
しかしながら、特許文献１に記載されているように、給電回路を高周波回路／送受信機と同一の前記高周波回路基板上に形成する構成とすると、給電回路を含めたアンテナ特性を評価することができなくなるといった問題があった。
【００１７】
また、上記のような構成では、アンテナの放射特性を最適化するために給電回路の一部を微調整するといったことも難しく、給電回路の微調整の度に送受信機も含めて再製作する必要が生じてしまう。
【００１８】
そこで、例えば図８に示すように、パッチ導体７１が形成されている放射面７２上に、図７（ｂ）に示すブランチライン分配器７３からなる給電回路を形成した例が報告されている。
【００１９】
しかしながら、図８に示すような構成では、放射面７２が大きくなってしまうだけでなく、放射面７２の形状がパッチ導体７１の中心に対して対称性が大きくくずれた形状となるため、電磁界結合などの影響により、アンテナの軸比特性が劣化してしまうといった問題点もあった。
【００２０】
そこで、本発明はこれらの問題を解決するためになされたものであり、アンテナの軸比特性が広帯域で良好な小型の円偏波マイクロストリップアンテナを提供することを目的とする。
【課題を解決するための手段】
【００２１】
この発明の円偏波マイクロストリップアンテナの第１の態様は、誘電材料を所定の厚さに形成した誘電体基板と、前記誘電体基板の一方の面に配置されたパッチ導体と、前記誘電体基板の他方の面に配置された接地導体と、前記パッチ導体の中心から見て第１の方向に配置され前記パッチ導体に給電する第１給電部と、前記パッチ導体の中心から見て前記第１の方向と直交する第２の方向に配置され前記パッチ導体に給電する第２給電部とを備え、前記第１給電部と前記第２給電部に略同一の振幅かつ略９０°の位相差で給電することにより円偏波の励振が可能な円偏波マイクロストリップアンテナであって、前記パッチ導体と同一面上に、ウィルキンソン型分配器の一方の出力側に９０°位相差線路を接続して形成された給電回路を備え、前記第１給電部および前記第２給電部を前記給電回路が有する２つの出力端と接続することにより高周波信号を前記パッチ導体に供給することを特徴とする円偏波マイクロストリップアンテナである。
【００２２】
第２の態様は、前記給電回路が、前記誘電体基板の中心から見て前記第１の方向の対称軸と、前記誘電体基板の中心から見て前記第２の方向の対称軸と、前記誘電体基板の端部とで囲まれる領域内に形成されていることを特徴とする円偏波マイクロストリップアンテナである。
【００２３】
第３の態様は、前記接地導体の面積が、前記パッチ導体の面積の９倍か、それより小さいことを特徴とする円偏波マイクロストリップアンテナである。
【００２４】
第４の態様は、前記誘電体基板の厚さが、０．４ｍｍ以上であることを特徴とする円偏波マイクロストリップアンテナである。
【００２５】
第５の態様は、前記９０°位相差線路及び前記ウィルキンソン型分配器が、前記給電回路から出力される２つの高周波信号の各々の振幅成分及び両者の位相差を、それぞれＡ１，Ａ２、及びΔθとするとき、
Ａ１≠Ａ２  、Δθ≠９０°
となるよう構成されていることを特徴とする円偏波マイクロストリップアンテナである。
【００２６】
第６の態様は、前記第１給電部が、前記ウィルキンソン型分配器の出力端に接続され、前記第２給電部が、前記９０°位相差線路の出力端に接続されていることを特徴とする円偏波マイクロストリップアンテナである。
【００２７】
第７の態様は、前記第１給電部が、前記９０°位相差線路の出力端に接続され、前記第２給電部が前記ウィルキンソン型分配器の出力端に接続されていることを特徴とする円偏波マイクロストリップアンテナである。
【００２８】
第８の態様は、第１の態様から第７の態様のいずれかに記載の円偏波マイクロストリップアンテナを備え、前記接地導体の開放側の面にさらに別の誘電体基板を積層し、前記別の誘電体基板の開放側の面に送受信機を含む高周波回路部を配置し、前記高周波回路部と前記ウィルキンソン型分配器の入力端とをスルーホールを介して接続することを特徴とする円偏波マイクロストリップアンテナ装置である。
【発明の効果】
【００２９】
以上説明したように本発明によれば、９０°位相差線路とウィルキンソン型分配器とからなる給電回路をアンテナ放射面上に形成した円偏波マイクロストリップアンテナを提供することができる。
【００３０】
前記給電回路をアンテナ放射面上に形成したことにより、前記給電回路を含めたアンテナ特性を評価することが可能となり、給電回路を調整してアンテナ放射特性を最適化することが容易になった。
【００３１】
また、パッチ導体の中心に対して誘電体基板の形状をほぼ対称とすることができるため、広帯域にわたって良好な軸比を得ることが可能である。
【００３２】
さらに本発明によれば、５．８ＧＨｚ帯を用いるＥＴＣやＤＳＲＣ，１．５７５ＧＨｚ帯を用いるＧＰＳなどに好適な円偏波マイクロストリップアンテナ及びアンテナ装置を提供することができる。
【発明を実施するための最良の形態】
【００３３】
図面を参照して本発明の好ましい実施の形態における円偏波マイクロストリップアンテナの構成について詳細に説明する。なお、同一機能を有する各構成部については、図示及び説明簡略化のため、同一符号を付して示す。
【００３４】
図１は、本発明の実施の形態に係る円偏波マイクロストリップアンテナの概略の構成を示すブロック図である。本実施形態の円偏波マイクロストリップアンテナ１は、誘電材料を所定の厚さに形成した誘電体基板２の表面上に、パッチ導体３が形成されている。また、誘電体基板２の裏面には図示しない接地導体が形成されている。
【００３５】
パッチ導体３は、第１給電部４と第２給電部５の２つの給電部を有する２点給電方式のパッチアンテナである。第１給電部４は、パッチ導体３の中心６から見て図面上垂直の方向に設けられており、第２給電部５は、パッチ導体３の中心６から見て図面上水平の方向に設けられている。すなわち、第１給電部４と第２給電部５とは、９０°だけ異なる方向に設けられている。
【００３６】
本実施形態の円偏波マイクロストリップアンテナ１は、パッチ導体３が形成されている誘電体基板２の表面上に、さらに９０°位相差線路７とウィルキンソン型分配器８を備えている。９０°位相差線路７とウィルキンソン型分配器８は、第１給電部４と第２給電部５に接続されて、パッチ導体３に給電する給電回路９を形成している。
【００３７】
すなわち、第１給電部４とウィルキンソン型分配器８の一方の出力端が接続され、ウィルキンソン型分配器８の他方の出力端と９０°位相差線路７の入力端が接続され、さらに９０°位相差線路７の出力端と第２給電部５が接続されている。
【００３８】
給電回路９として図７（ｃ）に示す９０°位相差線路７とウィルキンソン型分配器８を用いた場合には、図７（ｂ）に示すブランチライン分配器と比べて、少なくとも１本のλ／４線路を省略することができる。その結果、給電回路９をパッチ導体３と同一平面上に形成しても、アンテナの対称性を大きく損なわないように配設することが可能となる。
【００３９】
すなわち、給電回路９を９０°位相差線路７とウィルキンソン型分配器８で形成することにより、誘電体基板２の形状がパッチ導体３の中心６に対してほぼ対称となるように、誘電体基板２上に給電回路９を配置することが可能となる。
【００４０】
図１では、誘電体基板２の２本の対称軸１０、１１のうち、垂直方向の対称軸１１はパッチ導体３の中心６を通過しているものの、水平方向の対称軸１０がパッチ導体３の中心６からずれている。しかしながら、水平方向の対称軸１０とパッチ導体３の中心６とのずれはわずかであることから、パッチ導体３の中心６に対する誘電体基板２の対称性がほぼ維持されている。
【００４１】
図１では、９０°位相差線路７とウィルキンソン型分配器８からなる給電回路９は、誘電体基板２の左下に配置されている。すなわち、誘電体基板２の２本の対称軸１０、１１と端部で囲まれた領域内に、給電回路９を配置するようにしている。
【００４２】
上記のように、誘電体基板２の２本の対称軸１０、１１で分割される４つの領域のうち、いずれか１つの領域内に給電回路９を配置し、対称軸１０、１１上には給電回路９が配置されないようにすることにより、給電回路９がアンテナの放射パターンへ影響するのを軽減することが可能となる。
【００４３】
図１のように構成された本発明の円偏波マイクロストリップアンテナ１の特性を、図２を用いて説明する。図２は、円偏波の特性の一つである軸比を示すグラフである。図２（ａ）は図６（ａ）に示すような１点給電方式のパッチアンテナの軸比特性を示すグラフであり、図２(ｂ)は本発明の円偏波マイクロストリップアンテナ１の軸比特性を示すグラフである。
【００４４】
円偏波アンテナの軸比は、所定の周波数帯で例えば６ｄＢ以下となるのが好ましく、該所定の周波数を中心に６ｄＢ以下となる帯域幅が広いのがさらに好ましい。１点給電方式のパッチアンテナの軸比は、図２(ａ)に示すように６ｄＢ以下となる帯域がきわめて狭い。これに対して、本発明の円偏波マイクロストリップアンテナ１の軸比は、図２(ｂ)に示すように６ｄＢ以下となる帯域が大幅に拡大されている。
【００４５】
本発明の円偏波マイクロストリップアンテナ１は、図１に示すように、パッチ導体３と同じ面上でかつ左下の領域に９０°位相差線路７とウィルキンソン型分配器８とからなる給電回路９を配置している。これに対し、特許文献１に記載のアンテナでは、誘電体基板２に対しパッチ導体３とは反対の面（裏面）上に９０°位相差線路７とウィルキンソン型分配器８を配置している。
【００４６】
このように、９０°位相差線路７とウィルキンソン型分配器８の配置位置によって、アンテナの軸比がどのように変化するかを、図３を用いて説明する。図３は、９０°位相差線路７とウィルキンソン型分配器８とからなる給電回路９の設置位置による軸比の変化を模式的に示したグラフである。
【００４７】
特許文献１と同様に、９０°位相差線路７とウィルキンソン型分配器８を誘電体基板２に対しパッチ導体３とは反対の面（裏面）上に配置した場合には、軸比は図３に示すグラフ２１のようになり、広帯域化が実現されていることがわかる。
【００４８】
これに対し、例えば図８に示す従来のアンテナと同様に、パッチ導体３と同じ面上に９０°位相差線路７とウィルキンソン型分配器８を配置しただけでは、軸比は図３のグラフ２２のように変化し、周波数約５．８ＧＨｚを中心周波数とする帯域が大幅に狭められてしまう。これは、アンテナ放射面が、パッチ導体３の中心６に対して対象性が大きく崩れた形状となってしまうためである。
【００４９】
なお、図８では給電回路としてブランチライン分配器を用いていたが、図３のグラフ２２はブランチライン分配器に代えて９０°位相差線路７とウィルキンソン型分配器８を用いたときの軸比を示している。
【００５０】
さらに、９０°位相差線路７とウィルキンソン型分配器８をパッチ導体３と同じ面上に配置した場合であっても、図１に示す本発明の円偏波マイクロストリップアンテナ１のように、対称軸１０、１１と誘電体基板２の端部で囲まれた領域内に９０°位相差線路７とウィルキンソン型分配器８を配置した場合には、軸比は再びグラフ２１のようになって広帯域化が実現される。
【００５１】
上記のとおり、本発明の円偏波マイクロストリップアンテナ１は、給電回路９を構成する９０°位相差線路７とウィルキンソン型分配器８をパッチ導体３と同じ面上に配置しても、パッチ導体３と反対の面（裏面）上に給電回路９を配置した場合と同程度の広帯域化を実現することが可能となる。
【００５２】
一方、給電回路９をパッチ導体３と反対の面（裏面）上に設けた場合には、給電回路９を含めたアンテナ素子（パッチ導体３）の特性を評価することができない。そのため、アンテナの放射特性を最適化するために、給電回路９の一部を微調整するといったことも難しく、給電回路９の微調整の度に送受信機も含めた製作のやり直しが必要になってしまう。
【００５３】
これに対し本発明の円偏波マイクロストリップアンテナ１では、給電回路を構成する９０°位相差線路７とウィルキンソン型分配器８をパッチ導体３と同じ面上に配置していることから、パッチ導体３と給電回路９とを一体的に評価することができる。従って、パッチ導体３と給電回路９のみでアンテナの放射特性を最適化することが可能となる。
【００５４】
本発明の円偏波マイクロストリップアンテナ１では、誘電体基板２の裏面に形成された前記接地導体の面積が、パッチ導体３の面積の９倍かそれより小さい場合であっても、広帯域なアンテナ特性を実現できる。マイクロストリップパッチアンテナにおいては、一般的には、パッチ導体３の面積に比べて十分に大きい面積をもった前記接地導体が望ましい。しかしながら、アンテナの小型化等の要求から、アンテナの使用周波数の１波長程度以下を1辺とする接地導体を用いて設計された例が報告されている。
【００５５】
このように、前記パッチ導体に対して有限な面積の接地導体を用いた場合に、ブランチライン分配器を用いた給電回路をアンテナ放射面上に形成すると、図８に示すようにアンテナの対称性が大きく損なわれ、軸比特性が劣化してしまう。さらに、前記接地導体の面積がパッチ導体の９倍以下となるようなブランチライン分配器を形成しにくくなる場合には、広帯域な軸比特性の確保は困難である。これに対し、本発明の円偏波マイクロストリップアンテナ１では、前記接地導体の面積がパッチ導体３の面積の９倍以下であっても、広帯域なアンテナ特性を実現することが可能である。
【００５６】
また、本発明の円偏波マイクロストリップアンテナ１では、誘電体基板２の厚さを０．４ｍｍ以上とするのが好ましい。誘電体基板２は、厚くするほど利得、ＶＳＷＲ，及び軸比の特性を広帯域化することができ、従来は例えば１．６ｍｍ以上としていた。
【００５７】
これに対し、本発明の円偏波マイクロストリップアンテナ１では、誘電体基板２の厚さを例えば１．６ｍｍ以下とすることができ、該厚さが０．４ｍｍ以上であれば広帯域な特性を実現できる。
【００５８】
本発明の円偏波マイクロストリップアンテナ１のように、９０°位相差線路７及び前記ウィルキンソン型分配器８からなる給電回路９を、パッチ導体３と同一面上（アンテナ放射面上）に配置した場合には、アンテナ放射パターンがパッチ導体３の中心６に対して対称性が確保できなくなる恐れがある。この場合には、第１給電部と第２給電部から励振される共振モード間に干渉が発生し、円偏波アンテナとしての軸比特性が劣化してしまう。
【００５９】
そこで、本発明の円偏波マイクロストリップアンテナ１では、前記アンテナ放射パターンの対称性が確保できない場合でも、９０°位相差線路７の線幅（特性インピーダンスが変化）と線路長（伝播位相遅延が変化）を調整するとともに、ウィルキンソン型分配器８の分配比を調整することにより、広帯域にわたって軸比特性の良好な円偏波アンテナを得ることができる。
【００６０】
上記のように、９０°位相差線路７とウィルキンソン型分配器８を非対称な構造とすることにより、給電回路９から出力される２つの高周波信号は下記のような特徴を有する信号となる。すなわち、前記２つの高周波信号のそれぞれの振幅及び両者の位相差を、それぞれＡ１，Ａ２、及びΔθとするとき、
Ａ１≠Ａ２  、Δθ≠９０°
となる高周波信号となる。給電回路９を調整して上式を満たす２つの高周波信号とすることで、好ましい軸比特性が得られるようになる。
【００６１】
さらに、本発明の円偏波マイクロストリップアンテナ１では、パッチ導体３と同一平面上に給電回路９が設けられていることで、アンテナ放射特性と給電特性の最適化が容易に行えるという利点がある。
【００６２】
本発明の円偏波マイクロストリップアンテナ装置の実施形態を、図４を用いて以下に説明する。図４は、アンテナ部と受信機又は送受信機の一部又は全部とを一体化し、これを一つの筐体に組み入れたアンテナ装置である。本発明の円偏波マイクロストリップアンテナ装置は、前記アンテナ部に本発明の円偏波マイクロストリップアンテナ１を用いて構成される。
【００６３】
図４に示す本発明の円偏波マイクロストリップアンテナ装置は、誘電体基板３５の裏面に形成された接地導体３６の開放面に、さらに別の誘電体基板３７を積層し、誘電体基板３７の接地導体３６とは反対の面に高周波回路部及び送受信機の一部または全部を搭載した回路基板３２を設けている。さらに、前記高周波回路部とウィルキンソン型分配器８の入力端とが、スルーホールを介して接続されている。
【００６４】
本発明の円偏波マイクロストリップアンテナ１は、上記説明の通り小型で広帯域な特性を有することから、広帯域な特性を損なうことなく、図４に示すような一体化されたアンテナ装置とすることが可能である。
【図面の簡単な説明】
【００６５】
【図１】図１は、本発明の円偏波マイクロストリップアンテナの構成を説明する図である。
【図２】図２は、円偏波用アンテナの軸比特性を説明する図である。（ａ）は、１点給電方式による従来のアンテナの円偏波軸比、（ｂ）は本発明の円偏波マイクロストリップアンテナの円偏波軸比、をそれぞれ説明する図である。
【図３】図３は、９０°位相差線路７とウィルキンソン型分配器８とからなる給電回路９の設置位置による軸比の変化を模式的に示したグラフである。
【図４】図４は、アンテナ部と受信機または送受信機の一部または全部を一体化したアンテナ装置の構成を説明する図である。
【図５】図５は、代表的な車載情報端末の構成を説明する図である。
【図６】図６は、マイクロストリップアンテナの実施例を説明する図である。（ａ）は、１点給電方式、（ｂ）は２点給電方式、をそれぞれ説明する図である。
【図７】図７は、高周波信号を生成する給電回路の構成を説明する図である。（ａ）はＴ型分散＋９０°位相差線路、（ｂ）はブランチライン分配器、（ｃ）は９０°位相差線路＋ウィルキンソン型分配器、をそれぞれ説明する図である。
【図８】図８は、給電回路を放射パッチと同一面上に形成したアンテナの構成を説明する図である。
【符号の説明】
【００６６】
１・・・円偏波マイクロストリップアンテナ
２、５５、６２・・・誘電体基板
３・・・パッチ導体
４・・・第１給電部
５・・・第２給電部
６・・・パッチ導体３の中心
７・・・９０°位相差線路
８・・・ウィルキンソン型分配器
９・・・給電回路
１０・・・誘電体基板２の水平方向の対称軸
１１・・・誘電体基板２の垂直方向の対称軸
２１、２２・・・円偏波軸比
３１・・・アンテナ部
３２・・・回路基板
３３・・・筐体３３
３４・・・シールドケース
３５、３７・・・誘電体基板
３６・・・接地導体
４１・・・ＧＰＳアンテナ部
４２・・・ＶＩＣＳアンテナ部
４３・・・ＥＴＣ／ＤＳＲＣアンテナ部
４４・・・情報端末本体
４５・・・ＶＩＣＳ光投受光部
４６、４７、４８・・・同軸ケーブル
５１・・・１点給電方式のマイクロストリップアンテナ
５２、５７・・・放射パッチ
５３・・・縮退分離素子
５４、６０、６１・・・給電点
５６・・・２点給電方式のマイクロストリップアンテナ
５８、５９・・・信号伝送線路
７１・・・パッチ導体
７２・・・放射面
７３・・・ブランチライン分配器
【図１】
2006311478.tif 000003
【図２】
2006311478.tif 000004
【図３】
2006311478.tif 000005
【図４】
2006311478.tif 000006
【図５】
2006311478.tif 000007
【図６】
2006311478.tif 000008
【図７】
2006311478.tif 000009
【図８】
2006311478.tif 000010